(57)【要約】【課題】スライドステップの端部に人が乗った場合でもスライドステップが安定して着床するスライドステップ用キャスターを提供する。【解決手段】スライドステップ用キャスター構造５１は底部３４ｄの下方に両側面３４ｂの内側にそって左右平行に一対の溝型鋼から成るキャスターベース５２が配置され、その両端部５２ａに取付けられるホルダー５３によって保持される４組のキャスター５４を備える。ホルダー５３は略台形形状であり、位置Ｒ２にキャスター５４を回転自在に支持するとともに位置Ｒ１でキャスターベース５２に設けられる支持部５２ｂに回転自在に支持される。一対のホルダー５３のそれぞれの位置Ｒ２における一対のキャスター５４の回転軸はリンク材５５で連結される。スプリング５６がその一端をホルダー５３の位置Ｒ３に固着して、他端をキャスターベース５２の中間部の固着片５７に位置調整可能に固着される。【選択図】図４
2008137455.tif 000002
【特許請求の範囲】
【請求項１】
キャビネットの格納部に出し入れ自在に格納されるスライドステップのスライドステップ用キャスター構造であって、
前記スライドステップは左右平行に配置される一対のキャスターベースの両端部にそれぞれホルダーによって取り付けられる４組のキャスターで床面に保持され、前記ホルダーはその一端部でキャスターを回転自在に支持するとともに他端部が前記キャスターベースに備える支持部で回転自在に支持され、
一対の前記キャスターの回転軸はリンク材で連結され、
前記ホルダーに回転抑止部を備え、この回転抑止部が前記キャスターベースに当接した状態で前記回転軸と前記支持部を結ぶ線が前記キャスターベースホルダーに対して角度が鋭角で、
前記角度を広げるようにスプリングがその一端を前記ホルダーに固着して他端をキャスターベースの中間部に固着され、
前記スライドステップに人が乗ると、前記スプリングが伸びるとともに前記ホルダーが回転して前記キャスターが前記スライドステップに収納されることを特徴とするスライドステップ用キャスター構造。
【請求項２】
請求項１に記載のスライドステップ用キャスター構造であって、前記スプリングの他端はキャスターベースに位置調整可能に固着されることを特徴とするスライドステップ用キャスター構造。
【発明の詳細な説明】
【技術分野】
【０００１】
本発明は、スライドステップ用キャスター構造に関し、スライドステップの使用時にスライドステップを床に安定して下降することができる技術に関する。
【背景技術】
【０００２】
従来、スライドステップ用キャスターの構造として特許文献１の内容が知られている。特許文献１によれば、図１６（ａ）、（ｂ）に示すように、キャスター１０が椅子１１の脚１２に取付けられる。キャスター１０用の車輪１はキャスターの支軸２の周りに回転自在に取付けられ、この支軸２は可動部材３に取付けられる。
【０００３】
そして、可動部材３を椅子１１の脚１２に固定するための取付け部材４に抜け止め用杆状体５がネジで取付けられ、可動部材３を抜け止め用杆状体５に対して上下摺動及び回動自在に外嵌される。抜け止め用杆状体５には可動部材３を下方に付勢する圧縮コイルスプリング６が外嵌される。
【０００４】
また、圧縮コイルスプリング６の上部に外嵌する筒状部７を取付け部材４に形成し、この筒状部７の外周側の取付け部材４には環状凹部８が形成される。この可動部材３の筒状嵌合部９は、筒状部７と環状凹部８に上下摺動及び回動自在に嵌合される。
【０００５】
このため、非着座時には圧縮コイルスプリング６の力で椅子１１を浮上させ、車輪１により椅子１１を容易に移動できる。座面１５に着座時には体重により圧縮コイルスプリング６を圧縮させて、椅子１１の接地部１２ａの着床により椅子１１を固着することができる。
【特許文献１】実開平６−１２１０６号公報
【発明の開示】
【発明が解決しようとする課題】
【０００６】
ところが、特許文献１のスライドステップ用キャスター構造では、４組のキャスターが独立して上下動する構成なので、人が座面１５の中央部に乗らないで座面１５の周囲に重心が掛かった場合には、圧縮コイルスプリング６の圧縮状態が各々異なる。
【０００７】
このため、各々のキャスターの高さが異なるため、座面１５が傾きながら下降するので乗っている人が不安定であるという問題があった。
【０００８】
そこで、本発明はスライドステップの端部に人が乗った場合でもスライドステップが安定して下降し着床するスライドステップ用キャスター構造を提供することを目的とする。
【課題を解決するための手段】
【０００９】
請求項１の発明は、キャビネットの格納部に出し入れ自在に格納されるスライドステップのスライドステップ用キャスター構造であって、前記スライドステップは左右平行に配置される一対のキャスターベースの両端部にそれぞれホルダーによって取り付けられる４組のキャスターで床面に保持され、前記ホルダーはその一端部でキャスターを回転自在に支持するとともに他端部が前記キャスターベースに備える支持部で回転自在に支持され、一対の前記キャスターの回転軸はリンク材で連結され、前記ホルダーに回転抑止部を備え、この回転抑止部が前記キャスターベースに当接した状態で前記回転軸と前記支持部を結ぶ線が前記キャスターベースホルダーに対して角度が鋭角で、前記角度を広げるようにスプリングがその一端を前記ホルダーに固着して他端をキャスターベースの中間部に固着され、前記スライドステップに人が乗ると、前記スプリングが伸びるとともに前記ホルダーが回転して前記キャスターが前記スライドステップに収納されることを特徴としている。
【００１０】
請求項２の発明は、請求項１に記載のスライドステップ用キャスター構造であって、前記スプリングの他端はキャスターベースに位置調整可能に固着されることを特徴としている。
【発明の効果】
【００１１】
請求項１の発明によれば、前記ホルダーはその一端部でキャスターを回転自在に支持するとともに他端部が前記キャスターベースに備える支持部で回転自在に支持され、一対の前記キャスターの回転軸はリンク材で連結されている。このため、スライドステップの端部に乗った場合でも一対の前記キャスターはリンク機構によりそれぞれの支持部を中心にして同じ回転動作で上昇することができるので、スライドステップは前後方向において安定して水平状態で着床することができる。
【００１２】
また、前記ホルダーの回転抑止部が前記キャスターベースに当接した状態で前記回転軸と前記支持部を結ぶ線が前記キャスターベースホルダーに対して角度が鋭角に形成されるので、スライドステップに人が乗った場合に一対の前記キャスターは支持部を中心に鋭角方向に回転モーメントが生じるので、スムーズな初期回転動作が得られるのでスライドステップは安定して下降できる。
【００１３】
請求項２の発明によれば、スプリングがその一端を前記ホルダーに固着して他端をキャスターベースの中間部に位置調整可能に固着されるので、この位置調整によってスプリング力を変えて重量の異なる種々のスライドステップに対して最適な条件を得ることができるため、請求項１の効果と同様の効果を得ることができる。
【発明を実施するための最良の形態】
【００１４】
以下に、本発明の第一の実施形態を図１〜図８に基づいて説明する。
＜スライドステップ用キャスター構造の構成＞
【００１５】
図１、図２、図３に示すように、洗面キャビネット３０は上部に洗面設備３１を備え下部にキャビネット３２を備える。そして、本発明の実施形態におけるスライドステップ用キャスター構造５１は、キャビネット３２の格納部３３に出し入れ自在に格納されて外観が略直方体形状のスライドステップ３４に設けられる。いま、格納部３３は水平視で前面３３ａと両側面３３ｂから成るコ字状である。
【００１６】
スライドステップ３４は前面３４ａと両側面３４ｂから成るコ字状の枠組みに、両側面３４ｂにおける前面３４ａから略２／３の位置で後面３４ｃが形成される。そして、前面３４ａに沿って設けられる別の前面３５ａと両側面３４ｂと後面３４ｃとで囲まれた領域の下部には底部３４ｄが設けられて収納部３５として使用される。
【００１７】
収納部３５の上部には人が乗るための踏み板４１を備える。そしてスライドステップ３４を格納部３３から引き出した後に、踏み板４１を後方から前方に持ち上げることにより開放して内部を利用することができる。
【００１８】
なお、スライドステップ３４の前面３４ａはキャビネット３２の前面３３ａから後方に取付けられ、前面３４ａに出し入れ用の取っ手４２が前面３３ａと面一に突設される。前面３４ａと取っ手４２と前面３３ａは統一性をもたせるために同じ表面化粧材が用いられる。
【００１９】
スライドステップ用キャスター構造５１は、底部３４ｄの下方に両側面３４ｂに沿って左右平行に一対の溝型鋼から成るキャスターベース５２が配置され、その両端部５２ａに取付けられるホルダー５３によって保持される４組のキャスター５４を備える。このキャスター５４によってスライドステップ３４は床面４０に保持される。自然状態では、スライドステップ３４は床面４０から隙間Ｑで持上げられている。
【００２０】
図４、図５、図６に示すように、ホルダー５３は略台形形状であり、辺Ｑ１と辺Ｑ２は略平行で辺Ｑ１は辺Ｑ２より短く、辺Ｑ１と辺Ｑ２のそれぞれの一端を結ぶ辺Ｑ３は辺Ｑ１と辺Ｑ２に対して略直角で、辺Ｑ１と辺Ｑ２のそれぞれの他端を結ぶ辺Ｑ４は辺Ｑ３より長く形成される。ここで、辺Ｑ１の略中央位置を位置Ｒ１、辺Ｑ２と辺Ｑ４で形成される隅近傍を位置Ｒ２、辺Ｑ２と辺Ｑ３で形成される隅近傍を位置Ｒ３とする。辺Ｑ１と辺Ｑ３で形成される隅近傍を位置Ｒ４、辺Ｑ１と辺Ｑ４で形成される隅近傍を位置Ｒ５とする
【００２１】
そして、位置Ｒ２にキャスター５４を回転自在に支持するとともに位置Ｒ１でキャスターベース５２に設けられる支持部５２ｂに回転自在に支持される。また、一対のホルダー５３のそれぞれの位置Ｒ２における一対のキャスター５４の回転軸はリンク材５５で連結される。
【００２２】
さらに、ホルダー５３の位置Ｒ４は回転抑止部であり、この回転抑止部がキャスターベース５２に当接した状態で位置Ｒ２と位置Ｒ１を結ぶ線がキャスターベース５２に対して角度θが鋭角に形成される。
【００２３】
そして、スプリング５６がその一端をホルダー５３の位置Ｒ３に固着して、他端をキャスターベース５２の中間部の固着片５７に位置調整可能に固着される。このため、スプリング５６の力が角度θを広げる方向に与えられるので回転抑止部（位置Ｒ４）はキャスターベース５２に押付けられる。
【００２４】
固着片５７の位置調整はキャスターベース５２の長手方向に設けられる複数の取り付け穴５８を用いることで実施できる。
＜スライドステップ用キャスター構造の作用＞
【００２５】
図７に示すように、上記、スプリング５６がその一端をホルダー５３の位置Ｒ３に固着して、他端をキャスターベース５２の中間部の固着片５７に固着されるので、自然状態では、スライドステップ３４はスプリングの力によりキャスターで床面４０から持上げられているので格納部３３から容易に引き出すことができる。
【００２６】
図８に示すように、このスライドステップ３４に人が乗ると、スプリング５６が伸びるとともにホルダー５３が回転することによりキャスター５４が回転上昇してスライドステップ３４に収納されて両側面３４ｂが床面４０に当接する。
【００２７】
このとき、前後方向の一対のキャスター５４の回転軸はリンク材５５で連結されているので、一対のキャスター５４はリンク機構により同じ回転動作で下降することができるので、スライドステップ３４は前後方向において安定して水平状態で下降して着床することができる。
【００２８】
さらに、スプリング５６の位置調整はキャスターベース５２の長手方向に設けられる複数の取り付け穴５８を用いることで実施できるので、使用する人の体重に対応したスライドステップ３４の下降限界重量を設定することができる。たとえば、子供でも使用可能な設定や大人だけが使用可能に設定できる。
＜本発明の第二の実施形態＞
【００２９】
本発明の第二の実施形態のスライドステップ用キャスター構造６１を図９〜図１５を用いて説明するが、図２、図３に示すスライドステップ用キャスター構造５１の構成と同構成部分については、図面に同符号を付して重複した説明を省略し、図４、図５、図６に示すスライドステップ用キャスター構造５１の構成は全く同じであるのでその説明および図面を省略する。
【００３０】
図９、図１０に示すように、スライドステップ用キャスター構造６１はスライドステップ用キャスター構造５１に加えて、スライドステップ３４の両側面３４ｂの後方部で両側面３４ｂの外側に突出して一対のローラー４３が回転自在に設けられる。
【００３１】
さらに、格納部３３の両側面３３ｂの内側にスライドレール４４が設けられ、このスライドレール４４に沿ってローラー４３が滑走する。
【００３２】
図１１（ａ）、（ｂ）、図１２、図１３に示すように、スライドレール本体４５は長さＬ＝４００ｍｍで、断面形状が底辺４５ｂの幅Ｗ＝２２ｍｍ、側壁４５ｃの高さＨ＝４５ｍｍから成る略三角形状で、斜辺４５ｄは階段状で中間に底辺４５ｂに平行な二段の水平部４５ａと４５ｅが形成される。
【００３３】
そして、上段の水平部４５ａは幅Ｗ１＝１０ｍｍで底辺の略中央部に対応する領域に形成され、この水平部４５ａがスライドレール４４である。スライドレール４４の上部側の壁４５ｆの上端部はスライドレール４４側に傾斜する斜面４４ｇが設けられる。
【００３４】
スライドレール４４は前面側において凹部４６を備え、この凹部４６の後縁である位置Ｐ１から後面側の位置Ｐ２までの水平距離Ｌ１＝３００ｍｍの領域で高さがＨ１＝３０ｍｍからＨ２＝１８ｍｍまで連続的に低くなるように形成される。
【００３５】
凹部４６は幅Ｌ２＝２４ｍｍ、深さＨ２＝２０ｍｍのＵ字形で、凹部４６の前面側にローラー４３を静止させる第一の凸部４７が高さＨ３＝３５ｍｍでスライドレール本体４５の先端部からＬ３＝１５ｍｍの幅で備える。
【００３６】
さらに、位置Ｐ２から連続してローラー４３が乗越えて静止するための第二の凸部４８が設けられ、凸部４８は高さＨ４＝２２ｍｍでスライドレール本体４５の後端部からＬ＝３０ｍｍの位置である。
【００３７】
スライドレール本体４５はネジ等の固定具４９によって格納部３３の両側面３３ｂに固定される。このとき固定具の頭がスライドレール本体４５から突出しないように下段の水平部４５ｅの幅が形成される。突起５０は位置合わせの目的で形成され側面３３ｂに形成された図示しない孔に挿入される。
＜スライドステップ付きキャビネットの作用＞
【００３８】
図１４に示すように、スライドステップ３４はスライドステップ用キャスター構造５１のキャスター５４で床面４０に保持されるとともに、ローラー４３がスライドレール４４に沿って格納部３３から引き出される。
【００３９】
そして、ローラー４３は第一の凸部４７によって格納部３３からの飛び出しが防止されるとともに、凹部４６に容易に誘導されて挿入する。凹部４６におけるローラー４３の軸中心はスライドレールの位置Ｐ1の高さに略等しい位置となる。
【００４０】
この状態で、踏み板４１を持ち上げると、スライドステップ３４の内容物の出し入れができる。
【００４１】
図１５に示すように、スライドステップ３４の踏み板４１に人が乗ると、ホルダー５３が回転することによりキャスター５４が回転上昇してスライドステップ３４に収納されるので、両側面３４ｂ、前面３４ａ、後面３４ｃが床面４０に当接する。
【００４２】
このとき、前後方向の一対のキャスター５４の回転軸はリンク材５５で連結されているので、一対のキャスター５４はリンク機構により同じ回転動作で下降することができるので、スライドステップ３４は前後方向において安定して水平状態で下降して着床することができる。
【００４３】
また、ローラー４３は下降して凹部４６内に係止されるのでスライドステップ３４は移動することがないので、人は安定してスライドステップ３４を用いることができる。
【００４４】
スライドステップ３４を格納部３３から取り外す場合には、スライドステップ３４の後端部を持ち上げることにより、ローラー４３が第一の凸部４７を乗り越えるので容易に取り外すことができる。
【００４５】
以上、本発明の実施例を図面に基づいて説明したが、具体的な構成はこの実施例に限られるものではなく本発明の要旨を逸脱しない範囲の設計変更等があっても本発明に含まれる。
【００４６】
たとえば、スライドステップ用キャスター構造は、一般家具、キッチン等の各種のキャビネットに設けられる格納部に適用することができる。
【００４７】
位置合わせに支障がない場合には突起５０は省略しても構わない。
【００４８】
スライドステップ３４の前面３４ａ、両側面３４ｂ、後面３４ｃの下部裏面に滑り防止パッキンを取付けると、スライドステップ３４がさらに安定して床面４０に接触するので人が踏み板４１により安定して乗ることができる。
【００４９】
キャスター５４を位置Ｒ１よりもスライドステップ３４の前面３４ａ側に傾むける代わりに、スライドステップ用キャスター構造５１全体を水平に１８０度反転してキャスター５４が後面３４ｃに傾く構成でも構わない。
【図面の簡単な説明】
【００５０】
【図１】本発明の第一の実施形態における、洗面設備３１を備えるキャビネット３２の格納部３３に格納されるスライドステップ用キャスター構造５１の斜視図である。
【図２】本発明の第一の実施形態における、図１のＡ−Ａ一部透視側面図である。
【図３】本発明の第一の実施形態における、図２のＢ−Ｂ断面図である。
【図４】本発明の第一の実施形態における、スライドステップ用キャスター構造５１の詳細側面図である。
【図５】本発明の第一の実施形態の、図４におけるＣ−Ｃ断面図である。
【図６】本発明の第一の実施形態の、図４におけるＤ−Ｄ断面図である。
【図７】本発明の第一の実施形態における、スライドステップ３４を格納部３３から引き出した状態を示す一部透視側面図である。
【図８】本発明の第一の実施形態における、スライドステップ３４を格納部３３から引き出した状態で人がスライドステップ３４に乗った状態を示す一部透視側面図である。
【図９】本発明の第二の実施形態における、洗面設備３１を備えるキャビネット３２の格納部３３に格納されるスライドステップ用キャスター構造６１の一部透視側面図である。
【図１０】本発明の第二の実施形態における、図９のＥ−Ｅ断面図である。
【図１１】本発明の第二の実施形態における、（ａ）はスライドレールの側面図、（ｂ）は図１１（ａ）におけるＦ−Ｆ矢視図である。
【図１２】本発明の第二の実施形態の、図１１（ａ）におけるＧ−Ｇ断面図である。
【図１３】本発明の第二の実施形態の、図１１（ａ）におけるＨ−Ｈ断面図である。
【図１４】本発明の第二の実施形態における、スライドステップ３４を格納部３３から引き出した状態を示す一部透視側面図である。
【図１５】本発明の第二の実施形態における、スライドステップ３４を格納部３３から引き出した状態で人がスライドステップ３４に乗った状態を示す一部透視側面図である。
【図１６】従来の、（ａ）はキャスター１０が取付けられた椅子１１の斜視図、（ｂ）はキャスター１０の取付構造を示す断面図である。
【符号の説明】
【００５１】
３４ｄ  底部
３４ｂ  側面
５１  スライドステップ用キャスター構造
５２  キャスターベース
５２ａ  端部
５３  ホルダー
５４  キャスター
５５  リンク材
５６  スプリング
５７  固着片
【図１】
2008137455.tif 000003
【図２】
2008137455.tif 000004
【図３】
2008137455.tif 000005
【図４】
2008137455.tif 000006
【図５】
2008137455.tif 000007
【図６】
2008137455.tif 000008
【図７】
2008137455.tif 000009
【図８】
2008137455.tif 000010
【図９】
2008137455.tif 000011
【図１０】
2008137455.tif 000012
【図１１】
2008137455.tif 000013
【図１２】
2008137455.tif 000014
【図１３】
2008137455.tif 000015
【図１４】
2008137455.tif 000016
【図１５】
2008137455.tif 000017
【図１６】
2008137455.tif 000018